(57)【要約】　　　（修正有）【課題】素人でも容易にリングの連結操作を実行できるようにした手品用リングを提供する。【解決手段】リング１の開口部３の片側に形成された空洞部の端部に開口部３を閉塞する連結片５を揺動自在に枢着すると共に、該連結片５の枢着部側を弾性部材で張引して空洞部内に係止することにより該弾性片５を元の状態に復帰可能にし、通常は開口部３を連結片５で閉じた状態に見せ、一方のリングを他方のリング１の連結片５に押し込むことによって開いた開口部３に一方のリングを挿入して連結状態とするようにした。【選択図】図１
0003100416.tif 000002
【実用新案登録請求の範囲】
【請求項１】
リングに設けられた開口部に他のリングを挿入することによって双方のリングが連結された状態となる手品用リングにおいて、一方のリングに設けられた開口部の片側に空洞部が形成され、該空洞部の端部に前記開口部を閉塞する連結片を揺動自在に枢着すると共に、該連結片の枢着部側を弾性部材で張引して空洞部内に係止することにより該弾性片を元の状態に復帰可能にし、通常は前記開口部を前記連結片で閉じた状態に見せ、一方のリングを他方のリングの連結片に押し込むことによって開いた開口部に前記一方のリングを挿入して連結状態とするようにしたことを特徴とする手品用リング。
【請求項２】
前記連結片の枢着部が半球形に形成された状態で前記リングの空洞部側の端部に結合されたことによって該連結片の任意方向への揺動を円滑に行なうようにしたことを特徴とする請求項１記載の手品用リング。
【請求項３】
前記弾性部材はコイルバネであることを特徴とする請求項１または２記載の手品用リング。
　
　
【考案の詳細な説明】
【技術分野】
【０００１】
　本考案は、リングに設けられた開口部に他のリングを挿入することによって双方のリングが互いに連結された状態にされる手品用リングに関するものである。
【背景技術】
【０００２】
　従来の手品用リングは、図５に示すように開口部のない完全な環状のリング１１と開口部１３を有するリング１２とを使用する。そして、図６(ａ)に示すように、一方の手の人差し指等でリング１２の開口部１３を塞いで観客側から開口部１３が見えない状態にし、他方の手に持ったリング１１を一方のリング１２の開口部１３に挿入することによって、図６(ｂ)に示すように、まるで２個の完全な環状のリングが互いに連結されたかのように見せることが可能となる。
【０００３】
　ところが、上記の手品を素人が行なう場合、観客側から開口部１３が見えないようにして一方のリング１１を他方のリング１２の開口部１３に挿入することは、非常に難しく、熟練を要するものであった。
【０００４】
　また、上記の従来のリングは、観客に見せるとき、常に、一方のリング１２の開口部１３を指で塞いでおく必要があるため、そのような操作は困難であるうえ、下手をすると観客に見破られてしまうという欠点があった。
【０００５】
　ところで、手品用リングの改良技術等を調査した結果、適当なものは見出し得なかったのであるが、リング形状をした手品具としては下記の特許文献１に挙げるものがあった。
【０００６】
　ところが、この文献に記載されている手品具は、単独のリング形状に関するものであり、本考案のように２個のリングを互いに連結するようにしたものではない。
【特許文献１】実公昭６２−１８１９９号公報
【考案の開示】
【考案が解決しようとする課題】
【０００７】
　本考案は、上記のような事情に鑑みてなされたもので、リングに設けられた開口部に他のリングを挿入することによって双方のリングが互いに連結された状態にされる手品用リングにおいて、開口部の設けられたリングを開口部の見えない完全な環状のリング形状にし、素人でも容易にリングの連結操作を実行できるようにした手品用リングを提供することを目的とする。
【課題を解決するための手段】
【０００８】
　上記の目的を達成するために、本考案の請求項１の手品用リングは、リングに設けられた開口部に他のリングを挿入することによって双方のリングが連結された状態となる手品用リングにおいて、一方のリングに設けられた開口部の片側に空洞部が形成され、該空洞部の端部に前記開口部を閉塞する連結片を揺動自在に枢着すると共に、該連結片の枢着部側を弾性部材で張引して空洞部内に係止することにより該弾性片を元の状態に復帰可能にし、通常は前記開口部を前記連結片で閉じた状態に見せ、一方のリングを他方のリングの連結片に押し込むことによって開いた開口部に前記一方のリングを挿入して連結状態とするようにしたことを特徴とする。
【０００９】
　また、本考案の請求項２の手品用リングは、請求項１において、前記連結片の枢着部が半球形に形成された状態で前記リングの空洞部側の端部に結合されたことによって該連結片の任意方向への揺動を円滑に行なうようにしたことを特徴とする。
【００１０】
　さらに、本考案の請求項３の手品用リングは、請求項１または２において、前記弾性部材はコイルバネであることを特徴とする。
【考案の効果】
【００１１】
　本考案による手品用リングは、一方のリングに設けられた開口部を連結片で閉塞してあるため、通常の外観は、開口部のない完全な環状を有するリングとなり、このリングと他のリングとを組合せて観客に見せると、外観はいずれも完全な環状を有するリングの組み合せとして認識される。
【００１２】
　そして、このリングの組合せのうち、一方のリングを他方のリングの連結片に押し込むことによって開いた開口部に一方のリングを挿入して連結状態とすることによって、観客には、完全な環状を有するリング同士が連結したかのように見えて、手品としての楽しみを十分に得ることができる。
【００１３】
　また、本考案の構成においては、連結片に対する外力を取り除くことによって該連結片は弾性部材によって元の状態に復帰し、リングの開口部を閉塞状態にして、外見は開口部のない完全な環状のリングに見せることができる。
【００１４】
　以上のような本考案によれば、外観は完全な環状を有するリングがその開口部に設けられた連結片を他のリングで押し込むことによって連結状態となり、この連結状態で双方のリングは元の完全な環状のリングに復帰するため、素人でも、容易且つ上手に手品を見せることが可能となる。
【考案を実施するための最良の形態】
【００１５】
　以下、本考案の実施例について図面を参照しながら説明する。
【実施例１】
【００１６】
　本考案による手品用リング１は、図１に示すように、外見は完全な環状のリングに見えるように形成されたものである。なお、図１のリング１は、図２に示すように、もう１個の完全な環状のリング２と組み合わせて使用するものである。
【００１７】
　そこで、本考案のリングについて説明すると、組み合わせて使用される２個のリングのうち、図３に示すように、少なくとも一方のリング１に設けられた開口部３の片側に空洞部４が形成されている。このようなリング１は、内部が空洞にされたパイプ材を環状に形成することによって開口部３の片側に空洞部４が形成された構成としてもよいし、予め成形によって開口部３の片側付近のみに空洞部４を形成するようにしてもよい。また、開口部３の幅は他のリング２を余裕をもって挿通する程度のものとする。
【００１８】
　そして、本考案においては、図３に示すように、上記のようなリング１の開口部３における片側付近に設けられた空洞部４の端部に連結片５の半球形の枢着部６が結合されたことによって、該連結片５の任意方向への揺動を円滑に行ない、さらに連結片５の枢着部６側を弾性部材７で張引することにより、通常は開口部３を連結片５で閉じた状態にしている。
【００１９】
　本実施例においては、弾性部材７としてコイルバネを使用し、コイルバネの一端７aを連結片５の枢着部６に係止する一方、コイルバネの他端７bを空洞部４の内壁に設けられた係止孔８に係止することによってコイルバネ（弾性部材７）に張引力を作用させ、連結片５の枢着部６側を空洞部４の端部に揺動自在に枢着するようにしている。
【００２０】
　このような構成により、本実施例の手品用リングを使用するには、図４(a)に示すように、片手に持ったリング１の連結片５に他の片手に持ったリング２を当てて押し込むことにより、図４(ｂ)に示すように、連結片５は弾性部材７の張引力に抗し枢着部６を中心に傾斜して開口部３に隙間を生じさせる結果、さらに押し込んだリング２を通過させることができる。そして、図４(ｃ）に示すように、リング２による外力が解除されることによって連結片５は弾性部材７の張引力によって元の状態に復帰して開口部３を閉塞し、完全な環状のリング形状に復帰することとなる。
【００２１】
　上記のように、本実施例による手品用リング１は、他のリングを連結しない状態においては、図１または図３に示すように、開口部３を連結片５で閉じた完全な環状のリング形状に見せることができ、図４(ｂ)に示すように、一方のリング２を他方のリング１の連結片５に押し込むことによって、図２に示すような連結状態とすることができ、外見は開口部のない完全な環状のリングが互いに連結されたかのように見せることができる。
【産業上の利用可能性】
【００２２】
　本考案の手品用リングは、一方のリングに設けられた開口部に連結片が閉塞された状態で枢着されているため、この連結片に他のリングを押し込んで挿入することにより、外見は完全な環状に見える双方のリングが互いに連結するかのように見せる手品用リングとして使用することができる。
【図面の簡単な説明】
【００２３】
【図１】本考案によるリングの外観図である。
【図２】本考案によるリングと他のリングとを連結した状態を示す外観図である。
【図３】本考案によるリングの開口部が連結片で閉塞された状態を示す一部断面部分図である。
【図４】(a)はリングの開口部の連結片に他のリングを当てた状態を示す一部断面部分図であり、(b)はリングの連結片を他のリングで押し込んで開口部に隙間を生じさせた状態を示す一部断面部分図であり、（c）はリングの開口部の連結片が元の位置に復帰した状態を示す一部断面部分図である。
【図５】従来の手品用リングの組み合わせを示す外観図である。
【図６】(a)及び(b)は従来の手品用リングの使用状況を示す外観図である。
【符号の説明】
【００２４】
１…開口部を有するリング
２…完全な環状のリング
３…開口部
４…空洞部
５…連結片
６…枢着部
７…弾性部材（コイルバネ）
７a…コイルバネの一端
７b…コイルバネの他端
８…係止孔
　
【図１】
0003100416.tif 000003
【図２】
0003100416.tif 000004
【図３】
0003100416.tif 000005
【図４】
0003100416.tif 000006
【図５】
0003100416.tif 000007
【図６】
0003100416.tif 000008